(57)【特許請求の範囲】
【請求項１】
管楽器の管体内に付着した水分を拭い取る水分払拭手段と、前記管体内に沿って摺動される摺動手段とを含んだ管楽器掃除具であって、
前記水分払拭手段は吸湿布からなり、先方部が閉じると共に後方部が開放された袋体を含み、
前記摺動手段は、軸部本体と該軸部本体の先端位置で前記水分払拭手段を支持する支持手段とからなり、
前記支持手段の先端が前記袋体を支持した状態で、音響反射板に接した際に側方に容易に変形される先端部を備え、
前記袋体が前記支持手段に支持されて、前記水分払拭手段が前記摺動手段を覆った状態とされて、前記管体の内面に接して往復摺動される、
ことを特徴とする管楽器用掃除具。
【請求項２】
前記水分払拭手段が細長筒体に形成され、
前記細長筒体の閉じた端部が前記袋体とされ、前記軸部本体の軸方向に対して、斜めに傾斜して形成されている、
ことを特徴とする請求項１に記載の管楽器用掃除具。
【請求項３】
前記細長筒体の太さが、前記摺動手段が前記管体内に挿し込まれて摺動される状態で、前記管体内で前記細長筒体の側方に弛みがある太さとされている、
ことを特徴とする請求項２に記載の管楽器用掃除具。
【請求項４】
前記吸湿布が平面状をなし、前記袋体が、前記吸湿布の縁部が折り返され、折り返し部の一部が縫合されて形成されている、
ことを特徴とする請求項１に記載の管楽器用掃除具。
【請求項５】
前記軸部本体が複数の竿体が連結されてなり、その連結部には複数の竿体が同期して軸動させる空回り防止手段が含まれている、
ことを特徴とする請求項１乃至請求項４のいずれか一項に記載の管楽器用掃除具。
【請求項６】
前記摺動手段が可撓性を有する一本の軸体からなる、
ことを特徴とする請求項１乃至請求項４のいずれか一項に記載の管楽器用掃除具。
【請求項７】
前記摺動手段の軸方向の中間部の外周面に、少なくとも１か所の前記水分払拭手段の滑り止め抑制手段が備えられている、
ことを特徴とする請求項１乃至請求項６のいずれか一項に記載の管楽器用掃除具。
【発明の詳細な説明】
【技術分野】
【０００１】
本発明は、直線状に伸びる管楽器の管体内に吹奏により付着した水分を、管体端部の穴から挿入して払拭するための管楽器用掃除具に関する。より詳細には、管体内に吹奏により付着した水分を、管楽器を組立てた状態のままでも、分解させた状態でも、隅々まで速やか且つ確実に払拭できると共に、音響反射板を傷つけず、且つ位置ずれを生じさせることのない管楽器用掃除具に関する。
【背景技術】
【０００２】
フルート、ピッコロ等の管楽器は、演奏者の息が吹き込まれて演奏されるため、演奏者の呼気に含まれる水分が管体内に付着される。特に、演奏者が呼気を吹き込む唄口の近くに位置する音響反射板の内縁には水分が付着しやすい。音響反射板は管楽器の音程を左右する程の重要な部品であり、ここに水分が付着されると管楽器の音の響きが変わり、演奏に支障が生じることになる。そのため、演奏者は演奏待機中のわずかな時間を利用して、管楽器内に付着した水分を払拭することもあった。
【０００３】
ここで、音響反射板について説明する。音響反射板は管楽器の頭部管の内径に適合する大きさの薄い金属板であり、一方の面の中央から螺子軸が延設されている。この螺子軸に、ヘッドコルクと称される音の反響をよくするコルク材が、音響反射板に接するようにナットにより固定される。更に、螺子軸の端部に、頭部管の端部穴を閉じる蓋部材が螺合される。
【０００４】
音響反射板は、コルク材が頭部管に隙間なく嵌合されることにより、頭部管内の所定の位置に固定されている。音響反射板の固定される位置がわずかに変わるだけでも音の響きが変わり、管楽器の音程が大きく影響されるため、フルートの場合には唄口の中央から１７ｍｍの位置となるように、精密に位置調整され演奏されている。
【０００５】
また、コルク材は経年劣化により徐々に萎み、音響反射板の位置がずれ、音の反響が悪くなる等の支障が生じる。このため、少なくとも数年に１度はコルク材の交換が推奨されている。音響反射板は、このようなコルク材により位置が決定されているため、水分を払拭するための掃除棒が当たる程度の押付力であっても、音響反射板の位置がずれて音程が変わってしまう場合があった。
【０００６】
更に、音響反射板の材質は、高価な白金、金、銀等の合金からなる場合も多く、表面は鏡面状に磨かれており、水分を払拭する際に傷がつくこともあった。そのため、演奏者は演奏待機中のわずかな時間に、速やかに且つ確実に水分を払拭することに加えて、音響反射板を傷つけず、且つ位置ずれを生じさせないように、細心の注意を払って水分を払拭する必要があった。
【０００７】
従来、管楽器内に付着した水分を払拭する際には、掃除棒と称される竿体が使用されていた（図８（Ａ）図参照）。払拭作業を行う場合には、掃除棒２００の先端部に備えられた貫通孔２０２に略矩形形状の吸湿布を通し、竿体全体に吸湿布２０１を巻き付け、それを管楽器の管体内１０２に挿入して往復摺動させることにより、管楽器内に付着した水分が払拭されていた。しかし、フルートの全長が約７０ｃｍに対して、従来の掃除棒２００の長さは約３６ｃｍとされており、フルートを分解しなければ払拭作業を行うことができず、分解した後に払拭作業をし、更に組立を行う必要があり、手間と時間がかかっていた。
【０００８】
更に、従来の掃除棒は矩形の吸湿布を貫通孔に通して、さらに吸湿布で先端部を覆うように巻き付ける必要があるため、巻き付け方が悪いと、掃除棒の先端部２０３が外部に露出された状態となる場合がある（図８（Ｂ）図参照）。このような状態で管体内１０２を往復摺動させると、硬い掃除棒の先端部２０３が音響反射板１１１に当たって、音響反射板を傷つけ、又はその位置ずれを生じさせる可能性があった（図８（Ｃ）図参照）。
【０００９】
また、先端部２０３を露出させないように入念に吸湿布を巻き付けようとして、吸湿布２０４が不要に重なって掃除具の先方部分２０５が太くなりすぎることもあった（図８（Ｄ）図参照）。この場合には、掃除棒を管体内１０２に挿入しにくくなるという課題があった（図８（Ｅ）図参照）。そのため、掃除棒の先端を覆って、丁度良い重なり具合に吸湿布を巻くには慣れが必要とされ、慣れない者にとっては手間と時間がかかるという課題があった。
【００１０】
以下に示すように、フルート等の管楽器の管体内、特に音程に大きな影響をあたえる音響反射板に付着した水分を、速やか且つ確実に払拭する管楽器用掃除具の技術が開示されている。その第１の態様として、掃除棒の周囲を覆う「吸湿布の形状」を技術的な特徴とした管楽器用掃除具の技術が特許文献１に開示されている。
【００１１】
特許文献１には、フルートのように管体内の一端に閉塞端を有する管楽器においても、確実に管体内の清掃、水分の吸収を実現することを課題とした技術が開示されている。この技術によれば、管楽器用掃除具をなす清掃布が、支持棒が挿入される筒状の挿入部と、挿入部から外周方向に延出された接触部と、挿入部の長手方向先端部に管楽器の閉塞端を清掃する清掃端とを備えている。これにより、管楽器の内周面に加えて閉塞端周囲、つまり反射板の周囲に付着した水分も十分に吸収できるとされている。
【００１２】
しかし、特許文献１に記載の技術では、木製等の剛性の高い支持棒の周囲を、外周に接触部を備えさせると共に接触部の前面全体が音響反射板に接する布帛で覆い、支持棒を出し入れして清掃する際に、支持棒を覆っている布帛の前面全体が、支持棒と共に音響反射板に突き当たり、その押付力により音響反射板を奥方向に押し込み、位置ずれを生じさせる可能性があるという課題があった。また、支持棒を音響反射板に突き当てないように出し入れしようとすると、音響反射板の近くの水分を払拭しにくいという課題があった。
【００１３】
管楽器の管体内に付着した水分を、速やか且つ確実に払拭する技術の第２の態様としては、掃除棒の先端部に「可撓性を有する部材」を備えさせることを技術的な特徴とした管楽器用掃除具の技術が、特許文献２及び特許文献３に開示されている。
【００１４】
特許文献２には、反射板の位置を変えたり、反射板を傷つけたりすることなく、音響反射板の縁部まできれいに清掃が可能な管楽器の清掃工具の技術が開示されている。この技術によれば、管楽器の清掃工具は、従来の掃除棒の先端に嵌合されて装着される部材であり、反射板に清掃布を介して当接する可撓性を有する円状の当接部と、当接部よりも高い剛性を有する支持部と、掃除棒に取付ける為の可撓性を有する掃除棒取付け部とから構成されている。これにより、清掃工具の先端の平面を反射板の縁部にまでしっかりと当接させることができ、反射板の位置を変えず、反射板を傷つけることを防止できるとされている。
【００１５】
しかし、特許文献２の技術によっても、当接部が円状とされているため、管体内への挿入の際の抵抗が大きくなり挿入しにくく、当節部が音響反射板に強い押付力で接した場合には、その押付力により音響反射板を奥方向に押し込み、位置ずれを生じさせる可能性があるという課題があった。また、従来の技術と同様に清掃布を巻き付ける際には慣れが必要で、手間と時間がかかるという課題を解決するものではなかった。
【００１６】
特許文献３には、使用に際して水滴拭き取り用の吸湿布を巻き付けやすく、且つ楽器管体内側の隅部の水分まで拭き取れると共に、拭き取り作業中に楽器を傷つけることのないフルート用掃除棒の技術が開示されている。この技術によれば、棒状の本体部の前端部に、軟質摩擦性ゴムからなり前端が切り割り形状とされた管状の布片把持体が備えられている。軟質摩擦性ゴムの柔軟弾力性と表面摩擦により、布片把持体を吸湿布に押し当てて本体部を捻るだけで吸湿布を巻き付けることが可能とされている。これにより、吸湿布の取付け・取り外しが容易にできるとされている。
【００１７】
更に、掃除棒を反射板に向かって軽く押し付けると、布片把持体の切り割り形状部が横に曲がり、吸湿布が頭部管内向の角部の隅々まで届いて水分を十分に除去できるとされている。また、本体部が延長可能とされることにより、フルートを組立てた状態のまま水分の払拭作業が可能とされている。
【００１８】
しかし、この特許文献３の技術によっても、吸湿布が巻き付けられる際に、吸湿布の先端よりも軟質摩擦性ゴムが突出された状態となった場合には、音響反射板の近くの水分を払拭しにくく、軟質摩擦性ゴムにより音響反射板を汚す可能性があった。軟質摩擦性ゴムに、吸湿布を厚く折り重ねて巻き付けた場合には、フルートの長い管体内に、掃除棒が挿入しにくくなると共に、布片把持体の切り割り形状部が変形しにくくなり、管体内での往復摺動の際に音響反射板への押付力が強くなり、音響反射板を位置ずれさせる可能性があった。そのような支障を生じさせないように、吸湿布を巻き付けるには慣れが必要であるという課題があった。
【００１９】
前記のように、いずれの先行技術文献に記載された技術によっても、フルートが組立てられた状態のままでも、管体内の隅々まで速やか且つ確実に払拭できると共に、音響反射板を傷つけず、位置ずれを生じさせることなく、管体内の水分を払拭することは困難であった。そこで、演奏中のわずかな待機時間に、フルート等を組み立てたままでも、管体内の水分を払拭しても、音程に影響をあたえない管楽器用掃除具の提供が求められていた。
【先行技術文献】
【特許文献】
【００２０】
特許文献１：実登３１５８４５７号公報
特許文献２：特開２０１４−１４２５５８号公報
特許文献３：特開２０１４−１９１０９０号公報
【発明の概要】
【発明が解決しようとする課題】
【００２１】
本発明が解決しようとする課題は、直線状に伸びる管楽器の管体内に吹奏により付着した水分を、管体内の音響反射板に影響をあたえず、音程を変えないように払拭するための管楽器用掃除具を提供することである。より詳細には、管体内に吹奏により付着した水分を、管楽器を組立てた状態のままでも、分解させた状態でも隅々まで速やか且つ確実に払拭できると共に、音響反射板を傷つけず、且つ位置ずれを生じさせることのない管楽器用掃除具を提供することである。
【課題を解決するための手段】
【００２２】
本発明の第１の発明の管楽器用掃除具は、管楽器の管体内に付着した水分を拭い取る水分払拭手段と、前記管体内に沿って摺動される摺動手段とを含んだ管楽器掃除具であって、前記水分払拭手段は吸湿布からなり、先方部が閉じると共に後方部が開放された袋体を含み、前記摺動手段は、軸部本体と該軸部本体の先端位置で前記水分払拭手段を支持する支持手段とからなり、前記支持手段の先端が前記袋体を支持した状態で、音響反射板に接した際に側方に容易に変形される先端部を備え、前記袋体が前記支持手段に支持されて、前記水分払拭手段が前記摺動手段を覆った状態とされて、前記管体の内面に接して往復摺動されることを特徴としている。
【００２３】
この管楽器用掃除具により水分を払拭しようとする管楽器は、直線状に伸びる音響部を備えた管楽器、例えばフルート、ピッコロであるが、必ずしもこれに限定されない。管楽器の材質は限定されず、合金製のほか、金、銀、白金等の貴金属類であってもよい。
【００２４】
水分払拭手段は吸湿布からなり、先方部が閉じると共に後方部が開放された袋体を含んでいる。袋体とは、後方部から挿し込まれた摺動手段が抜け出ないように一方の端部が閉じていればよい。平面状の吸湿布の一部、例えば角隅部の一部が折り返されて縫合されて袋体とされてもよく、細長筒体の吸湿布の端部が袋体として機能してもよい。吸湿布の材質は、吸湿性の良い布であればよく、ガーゼ、マイクロファイバー等であればよいが、マイクロファイバーが好適である。
【００２５】
摺動手段の軸部本体は、管楽器の管体に挿入された状態で、管体内を往復摺動できればよく、剛性が高く曲がりにくい竿体であってもよく、可撓性があり曲がりやすい軸体であってもよい。軸部本体の太さは、管楽器の管体の内径よりも細ければよく限定されない。軸部本体の長さは、少なくとも管楽器の頭部管の長さよりも長ければよい。分割させた軸部本体を連結させて、管体の全長より長く一体にできると、管楽器を一体に組み立てたままで、管体内の水分を速やかに払拭でき、好適である。軸部本体の断面形状、材質は限定されない。
【００２６】
軸部本体の先端位置で水分払拭手段を支持する支持手段は、先端部が前記水分払拭手段を支持した状態で、音響反射板に接した際に側方に容易に変形される。ここで、側方とは、周縁から軸心に向かってもよく、軸心から周縁に向かってもよく、周縁に沿う方向であってもよい。支持手段の材質は限定されず、軟質ゴム樹脂体の単体であってもよく、変形しやすい樹脂、金属等の細い軸の先方に軟質ゴム樹脂体が付設されたものであってもよい。先方部を軟質ゴム樹脂体としておくと、摺動手段を捻りながら往復摺動させても、袋体の中でも摺動手段が滑ることがなく好適である。
【００２７】
水分払拭手段が摺動手段を覆った状態とは、水分払拭手段が摺動手段全体を覆った状態とされてもよく、摺動手段の後端が水分払拭手段から突出された状態とされてもよい。
【００２８】
本発明の第１の発明によれば、支持手段に支持された水分払拭手段が、管楽器内の先端閉鎖部の音響反射板に接した際に、支持手段が袋体とともに側方に変形され、音響反射板に大きな力が加わらず、音響反射板を傷つけず、且つ位置ずれを発生させず、音程を変えないで音響反射板の周縁の水分を払拭することができる。また、吸湿布の袋体を支持手段にあてるだけで、支持手段が吸湿布から突出されることがなく、吸湿布を重ねて巻く必要がなく、摺動手段に水分払拭手段を速やか且つ確実に装着させることが可能であるという有利な効果を奏する。
【００２９】
本発明の第２の発明は、第１の発明の管楽器用掃除具において、前記水分払拭手段が細長筒体に形成され、前記細長筒体の閉じた端部が前記袋体とされ、前記軸部本体の軸方向に対して、斜めに傾斜して形成されていることを特徴としている。
【００３０】
吸湿布が細長筒体とされることにより、摺動手段を袋体に挿し込むだけで、簡単に吸湿布を装着できる。また、摺動手段に吸湿布を巻く必要がないため、摺動手段に不要に吸湿布が重ねて巻かれて、吸湿させる状態の管楽器清掃具が太くならず、管楽器が一体とされた長い状態であっても、管体内の水分を払拭することができる。ここで斜めとは、周縁の一部が端部となるような傾斜に限定されず、軸心近傍が端部となるような傾斜でもよい。細長筒体の先端部が、斜めに傾斜して形成されていることにより、音響反射板の周縁に付着した水分も速やかに払拭できると共に、管楽器の管体内に管楽器用掃除具が挿し込みやすいという有利な効果がある。
【００３１】
本発明の第３の発明は、第２の発明の管楽器用掃除具において、前記細長筒体の太さが、前記摺動手段が前記管体内に挿し込まれて摺動される状態で、前記管体内で前記細長筒体の側方に弛みがある太さとされていることを特徴としている。
【００３２】
細長筒体の太さが、前記管体内で前記細長筒体の側方に弛みがある太さとは、細長筒体の周縁の一部が折れ重なった状態をいう。その重なった部分が管体内の内面に触れて水分を払拭しやすいと共に、摺動手段に装着された細長筒体が不要に太くならない。これにより、摺動手段を捻りながら摺動させやすく、管体内の水分を速やか且つ確実に払拭することができるという効果がある。
【００３３】
本発明の第４の発明は、第１の発明の管楽器用掃除具において、前記吸湿布が平面状をなし、前記袋体が、前記吸湿布の縁部が折り返され、折り返し部の一部が縫合されて形成されていることを特徴としている。
【００３４】
平面状をなす吸湿布の形状は、矩形、矩形の一部が削除された多角形等に限定されないが、摺動手段に巻き付けられた状態で、不要な重なり部を形成させない形状が好適である。平面状の吸湿布には、袋体の中に支持手段の先端部があたるように挿し込まれて、摺動手段の軸部本体を捻るようにして、摺動手段に吸湿布を巻き付けるようにする。
【００３５】
これにより、吸湿部の先方部に不要な重なり部を形成させないように、摺動手段に吸湿布を容易に巻き付けることができる。また、先端部が側方に屈曲される状態が維持されて、音響反射板を傷つけず、且つ位置ずれを生じさせることもなく、管体内の先方部に付着した水分を隅々まで確実に払拭できる。
【００３６】
本発明の第５の発明は、第１から第４の発明の管楽器用掃除具において、前記軸部本体が複数の竿体が連結されてなり、その連結部には複数の竿体を同期して軸動させる空回り防止手段が含まれていることを特徴としている。
【００３７】
竿体は剛性のある軸体であればよく、その材質は限定されない。複数の竿体が連結された状態の摺動手段の長さは、一体とされた管体の先方部の水分を払拭する状態で、その後端部が管楽器から突出される長さとされればよい。複数の竿体を連結させる連結部は、一方の端部を陥没部、他方の端部を嵌入部として挿し込んで連結してもよく、双方の端部を嵌入部として管体を介して連結してもよく、双方の端部を陥没部としてダボ軸を介して連結させてもよく、公知の連結方法によればよい。
【００３８】
空回り防止手段は、軸方向に孔が貫通された弾性ゴム管とし、竿体の端部に先細りの四角断面形状の嵌入部を形成させて、弾性ゴム管に挿し込まれ、その弾性力により空回りしないように同期して軸動されるようにしてもよい。また、竿体を、内管と外管とから構成し、外管の内面に内管の外面が当接して、その摩擦力により空回りしないように同期して軸動されるようにしてもよい。
【００３９】
これにより、管楽器を分割して運搬する管楽器ケースに、分割した状態で管楽器用掃除具を収容することができ、また演奏中のわずかな待機時間であっても、一体に組み立てた管楽器内の水分を、摺動手段を長く連結した状態で速やか且つ確実に払拭することができる。
【００４０】
本発明の第６の発明は、第１から第４の発明の管楽器用掃除具において、前記摺動手段が可撓性を有する一本の軸体からなることを特徴としている。軸体は、可撓性を有する材質であれば限定されない。例えば、鋼材が螺旋状に巻かれて外径が細径とされた軸体とされて、その周囲を樹脂被覆したものであってもよく、樹脂材のみからなっていてもよい。これにより、摺動手段を組み立てる必要がなく、且つ湾曲させて容易に携帯することが可能となる。特に、長さが短く細いピッコロに好適である。
【００４１】
本発明の第７の発明は、第１から第６の発明の管楽器用掃除具において、前記摺動手段の軸方向の中間部の外周面に、少なくとも１か所の前記水分払拭手段の滑り止め抑制手段が備えられていることを特徴としている。滑り止め抑制手段としては、摺動手段の周りに巻かれる軟質ゴムからなる短管体が好適である。滑り止め抑制手段が備えられることにより、管楽器用掃除具が往復摺動されることに加えて、軸部本体を捻るようにして水分払拭作業がされても、摺動手段を覆った水分払拭手段が滑って摺動手段が空回りすることがない。これにより、管体内全体の水分払拭作業をむらなく行うことができる。
【発明の効果】
【００４２】
・本発明の第１の発明によれば、支持手段が袋体とともに側方に変形され、音響反射板に大きな力が加わらず、音響反射板を傷つけず、且つ位置ずれを発生させず、音程を変えないで音響反射板の周縁の水分を払拭することができる。また、吸湿布の袋体を支持手段にあてるだけで、支持手段が吸湿布から突出されることがなく、吸湿布を重ねて巻く必要がなく、摺動手段に水分払拭手段を速やか且つ確実に装着させることが可能であるという有利な効果を奏する。
・本発明の第２の発明によれば、摺動手段を袋体に挿し込むだけで、簡単に吸湿布を装着でき、摺動手段に吸湿布を巻く必要がないため、吸湿させる状態の管楽器清掃具が太くならず、管楽器が一体とされた長い状態であっても、管体内の水分を容易に払拭することができる。更に、細長筒体の先端部が、斜めに傾斜して形成されていることにより、音響反射板の周縁に付着した水分も速やかに払拭できると共に、管楽器の管体内に管楽器用掃除具が挿し込みやすいという有利な効果がある。
・本発明の第３の発明によれば、摺動手段を捻りながら摺動させやすく、管体内の水分を速やか且つ確実に払拭することができるという効果がある。
【００４３】
・本発明の第４の発明によれば、先方部に不要な重なり部を形成させないように、摺動手段に吸湿布を容易に巻き付けることができる。また、先端部が側方に屈曲される状態が維持されて、音響反射板を傷つけず、且つ位置ずれを生じさせることもなく、管体内の先方部に付着した水分を隅々まで確実に払拭できる。
・本発明の第５の発明によれば、管楽器を分割して運搬する管楽器ケースに、分割した状態で管楽器用掃除具を収容することができ、また演奏中のわずかな待機時間であっても、一体に組み立てた管楽器内の水分を、摺動手段を長く連結した状態で速やか且つ確実に払拭することができる。
・本発明の第６の発明によれば、摺動手段を組み立てる必要がなく、且つ湾曲させて容易に携帯することが可能となる。特に、長さが短く細いピッコロに好適である。
・本発明の第７の発明によれば、管体内全体の水分払拭作業をむらなく行うことができる。
【図面の簡単な説明】
【００４４】
【図１】フルートの管体内に挿入された管楽器用掃除具を説明する断面図（実施例１）。
【図２】摺動手段を連結させる状態の説明図（実施例１）。
【図３】複数に分割された摺動手段の説明図（実施例１）。
【図４】支持手段の複数の具体例を示す説明図（実施例１）。
【図５】細長筒体を摺動手段に装着させる状態の説明図（実施例１）。
【図６】平面状の吸湿布の説明図（実施例２）。
【図７】可撓性のある管楽器用掃除具の説明図（実施例３）。
【図８】従来の掃除棒及び吸湿布の説明図（従来例）。
【発明を実施するための形態】
【００４５】
管楽器用掃除具の摺動手段を、その先端位置に音響反射板に接した際に側方に容易に変形される先端部を有する支持手段を備えさせたものとし、吸湿布に含まれる袋体を支持手段で支持させて、吸湿布の先端が音響反射板に接した際に、吸湿布が支持手段と共に側方に変形して、音響反射板に押付力が加わらないようにし、音響反射板を傷つけず、且つ位置ずれを生じさせず、音程を変えない管楽器用掃除具とした。
【実施例１】
【００４６】
実施例１では、フルート１００の管体内に付着した水分を払拭させる、２本の竿体を連結させた摺動手段と、細長筒体とさせた水分払拭手段とからなる管楽器用掃除具１を、図１から図５を参照して説明する。図１はフルートの管体内に挿入された管楽器用掃除具を説明する断面図、図１（Ａ）図は全体図、図１（Ｂ）図、図１（Ｃ）図は、図１（Ａ）図の要部を拡大した一部切り欠き断面図である。図１（Ｂ）図は、管楽器用掃除具が挿し込まれている状態を示し、図１（Ｃ）図は管楽器用掃除具が音響反射板に接し、その先方部の支持手段が側方に変形された状態を示している。なお、図１（Ｂ）図及び図１（Ｃ）図では、発明の理解を容易にするため、螺子軸及びナットは切断していない状態で示している。
【００４７】
図２は摺動手段を連結させる状態の説明図である。図２（Ａ）図、図２（Ｂ）図は夫々、連結前及び連結後の状態を示している。図３は複数に分割された摺動手段の説明図、図３（Ａ）図は分離された摺動手段の断面図、図３（Ｂ）図は連結部分の拡大断面図である。図４は支持手段の複数の具体例を示す説明図である。図５は、細長筒体を摺動手段に装着させる状態の説明図、図５（Ａ）図は装着される前、図５（Ｂ）図は装着された状態を示す説明図である。また、夫々の実施例では図中左側を先方とし、右側を後方としている。
【００４８】
まず、図１（Ａ）図を参照して、フルート１００の構造を簡単に説明する。フルートは、頭部管１１０、胴部管１２０、足部管１３０の３つの部品からなり、夫々の部品が連結されて直線状に伸びて音響部が構成されている。その全長は約６７ｃｍとされ、頭部管１１０の長さは約２３ｃｍとされている。頭部管には、演奏時に唇を当てて息を吹き込む唄口１１７を有するリッププレート１１８が備えられている。音響反射板１１１は、唄口よりも先方側で、唄口の中央からの距離が１７ｍｍとなるように位置調整されている。この位置が変わると音程が変わることになる。
【００４９】
音響反射板１１１は、厚さが約１ｍｍの薄い金属板とされ、音響反射板の先方側の面の中央からは、螺子軸１１２が延出されている。螺子軸１１２には、音響反射板と接するようにヘッドコルク１１３がナット１１４により固定され、さらにその先方側に蓋部材１１５が螺合されている。ヘッドコルク１１３の外径は、頭部管の内径と略同一の大きさとされ、頭部管に密着するように隙間なく嵌合されている。蓋部材１１５は、頭部管に嵌合した状態とされて、先方側の端部１１６を閉鎖する。蓋部材を回転させると、螺子軸１１２が進退し、それとともに音響反射板１１１の位置が変わり、その位置が調整される。
【００５０】
管体内１０２の水分１４０は、演奏者の呼気に含まれる水分が管体内で冷やされて結露されるものであるため、特に唄口近傍に付着されやすい。音響反射板１１１の近くに水分が付着することが、音の響きを変化させる要因の一つとなっている。ヘッドコルク１１３は、経年劣化により全体が萎み、頭部管１１０との間に隙間が空いた状態となり頭部管との摩擦抵抗が小さくなるため、音響反射板の近くの水分１４０を払拭するために、音響反射板１１１に押付力が加わった場合には、ヘッドコルク１１３と共に音響反射板の位置が変わることがあった。
【００５１】
次に、図２及び図３を参照して、管楽器用掃除具１の摺動手段１０について説明する。摺動手段１０は、先方側の竿体１１の陥没部１２に、後方側の竿体１５の嵌入部１６が嵌入されて連結され、夫々の竿体１１，１５が同期して軸動される１本の竿体とされる。摺動手段の長さは連結された状態で後端がフルート１００よりも外に突出する長さとされる。また、竿体１１，１５の外面には、水分払拭手段の滑り止め抑制手段として軟質ゴムからなる短管体１８が備えられている（図５（Ａ）図参照）。
【００５２】
先方側の竿体１１の先端には、細長筒体の支持手段２０をなす管状の軟質ゴム樹脂体が装着され、後方には金属管１３が固着されて、後方側の竿体１５の先方部が嵌装される陥没部１２とされている。金属管１３の中には弾性ゴム管１４が嵌め込まれ、空回り防止手段とされている（図３（Ａ）図参照）。実施例１では、支持手段２０は先端部２２が側方に変形しやすいように、側壁の対向する２か所に略Ｖ字形状の切り欠き部２１が備えられている（図４（Ａ）図参照）。後方側の竿体１５には、先端部に陥没部１２に嵌入される嵌入部１６が形成されている。嵌入部１６の形状は、先細りに形成された角錐体とされ、弾性ゴム管に嵌入された状態で空回りしないようにされている。
【００５３】
嵌入部１６が陥没部１２に挿入され、嵌入部の角錐部分１７が弾性ゴム管１４の管体内に食い込むように嵌入され、その反発力によって嵌入部１６が固定される。これにより、後方側の竿体１５と先方側の竿体１１とが同期して軸動され、先方側の竿体１１の空回りが防止される（図３（Ｂ）図参照）。また、後方側の竿体１５の後方部には、後端部から１７ｍｍの位置と、その左右に同じ間隔をあけた位置に、３本の音響反射板の位置確認用の表示線１９を備えさせておくと、後端部を頭部管１１０に挿し込んで音響反射板１１１の位置が適正な位置にあることを確認しやすい（図２（Ｂ）図参照）。
【００５４】
次に、図４を参照して、支持手段の複数の具体例を説明し、支持手段の理解を容易にする。図４（Ａ）図の支持手段については実施例１において説明しているため、ここでは説明を省略する。図４（Ｂ）図に示した支持手段２３は、管状の軟質ゴム樹脂体からなり、軟質ゴム樹脂体の先端部２４が半円筒形状とされ、先端部が側方に変形容易とされている。図４（Ｃ）図に示した支持手段２５は、管状の軟質ゴム樹脂体の先端部２６が、軸心方向に対して斜めに切断され、先端部が基端部２７よりも先細りにされ、先端部２６が側方に変形容易とされている。
【００５５】
図４（Ｄ）図に示した支持手段２８は、変形しやすい樹脂体からなる軸体２９が軸部本体３０の先に装着され、軸体２９の先端には軟質ゴム３１が付着されている。軸体２９を軸部本体３０の軸に対して斜めに装着させておけば、更に先端部３２が側方に変形容易となり好適である。図４に示したいずれの具体例においても、袋体と共に音響反射板に接した際に、容易に側方に変形するものとされている。
【００５６】
次に、図５を参照して、細長筒体４０を摺動手段１０に装着させる状態を説明する。細長筒体４０は、細長く伸びる吸湿布を長手方向に沿って折り畳み、先方部４１が軸心方向に対して斜めに傾斜するように縫合されて形成されている。細長筒体の材質は、マイクロファイバーからなる吸湿布とされている。
【００５７】
図１を参照して、支持手段２０に支持された細長筒体４０が音響反射板１１１に接する際の状態を説明する。細長筒体４０が音響反射板１１１に接するまでは、細長筒体の周囲４２が管体内１０２の内面１０１に沿って、内面１０１に付着した水分を払拭する（図１（Ａ）図、図１（Ｂ）図参照）。細長筒体の先方部４１が音響反射板１１１に接した際には、細長筒体４０は支持手段２０とともに側方に変形する（図１（Ｃ）図参照）。
【００５８】
この状態で、管楽器用掃除具１を軸心の周りに回転させることにより、細長筒体の周囲４２が管体内の内面１０１の水分を拭うと共に、側方に変形した細長筒体の先方部４１が音響反射板の周縁部１１９の水分１４０を残さず拭い取る（図１（Ｃ）図参照）。その際に、管楽器用掃除具１の先方部が音響反射板１１１に柔らかく当接し、音響反射板を傷つけることも、且つ位置ずれを生じさせることもない。
【実施例２】
【００５９】
実施例２では、図６を参照して、水分払拭手段が平面状をなした吸湿布５０とされている管楽器用掃除具２を説明する。図６は平面状の吸湿布の説明図である。図６（Ａ）図は吸湿布の先方側となる端部の要部拡大図であり、図６（Ｂ）図は摺動手段に吸湿布を巻き付けて装着させている状態を示し、図６（Ｃ）図は摺動手段に吸湿布を装着した状態を示している。また、図６では、縫合部を一点鎖線で示し、水分払拭手段に覆われている摺動手段の想像線を破線で示している。実施例２では、実施例１と同一の構成については、同一の符号を付して説明を省略している。
【００６０】
吸湿布５０は、幅が約１２ｃｍの細長い略矩形形状とされている。吸湿布の図上左下の角隅部５１は、外方に突出された傾斜部５２に型取りされて裁断され（図６（Ａ）図の破線部）、傾斜部５２の向かい側の縁部５３は斜めに内方に切り欠かれている。傾斜部５２が吸湿布５０の内方側に折り返されて、その先方側５４が縫合されて袋体５５とされる。
【００６１】
側方に容易に変形される先端部を備えた支持手段２０が、吸湿布の袋体５５の内面に接するように挿し込まれ、摺動手段１０が捻られて、摺動手段の周りに吸湿布５０が絡みつくように巻かれる。吸湿布が巻かれる際に、傾斜部５２の向かい側の縁部５３が斜めに切り欠かれているため、管楽器用掃除具２の先方部に巻かれた吸湿布が嵩張った状態とならない。吸湿布に袋体５５が備えられているため、慣れない者であっても容易に丁度よい重なり具合となるように吸湿布５０を装着できるという有利な効果がある（図６（Ｃ）図参照）。そのため、支持手段をなす軟質ゴム樹脂体の先端部が側方に柔軟に屈曲できる状態が維持されると共に、管楽器の管体内に挿入しやすく払拭作業が容易となる。
【実施例３】
【００６２】
実施例３では、図７を参照して、ピッコロ用の管楽器用掃除具３を説明する。図７は可撓性のある管楽器用掃除具の説明図である。図７（Ａ）図は、摺動手段と細長筒体の全体図、図７（Ｂ）図は、軸体の軸心に沿う方向の断面図、図７（Ｃ）図は、軸体を湾曲させて折りたたんでいる状態を説明する説明図である。実施例３の管楽器用掃除具はピッコロの水分の払拭に好適である。
【００６３】
実施例３の管楽器用掃除具３は、細長筒体４３と、摺動手段６０とから構成されている。摺動手段６０の長さは約４０ｃｍとされ、細長筒体４３の長さは約３３ｃｍとされている。細長筒体は吸湿布からなり、実施例１と同様に、先方部４４が斜めに傾斜されるように縫合されている。
【００６４】
摺動手段６０は、可撓性を有する１本の軸体６１と、その先方部に嵌合された支持手段２５と、後方部に嵌合された剛性のある把持部６２とからなっている。軸体６１は、鋼製の細線６５が螺旋状に巻かれて外径が細径とされた軸体であり、その周囲が樹脂被覆６６されたものとなっている（図７（Ｂ）図参照）。支持手段２５は、先方側が軸心方向に対して斜めに切断された形状の細径の管状の軟質ゴム樹脂体からなっている（図４（Ｃ）図参照）。
【００６５】
把持部６２は、剛性のある樹脂管からなり、水分払拭作業が容易にできるようにされている（図７（Ａ）図参照）。把持部の後端部には、軸体を湾曲させて折りたたむ際に、軸体の先方部６７を引っ掛けて、その形状を保持するための紐体６３が結び付けられる。また、把持部６２の後端には紐体６３の抜け止め部材６４が装着されている（図７（Ｃ）図参照）。
【００６６】
軸体を、可撓性を有する一本の軸体とすることにより、管楽器用掃除具３を嵩張らないように小さくたたんで、楽器とともに楽器ケースに収容して運搬することが容易となる。また、剛性のある把持部が備えられることにより、可撓性を有する軸体の後方側が撓むことがなく、管楽器用掃除具が楽器の管体内に挿し込みやすくなり、管楽器用掃除具の使い勝手をよくできるという有利な効果がある。
【００６７】
（その他）
・今回開示された実施の形態はすべての点で例示であって、制限的なものではないと考えられるべきである。本発明の技術的範囲は、上記した説明に限られず特許請求の範囲によって示され、特許請求の範囲と均等の意味および範囲内でのすべての変更が含まれることが意図される。
・上記の実施例では、分割した軸部本体を一体化して、一体の状態の管楽器の水分を払拭する実施例を説明したが、管楽器の頭部管のみに対して水分を払拭しやすいように短い長さの管楽器用掃除具としてもよいことは勿論のことである。
【符号の説明】
【００６８】
１，２，３…管楽器用掃除具、
１０…摺動手段、１１…竿体、１２…陥没部、１３…金属管、１４…弾性ゴム管、１５…竿体、１６…嵌入部、１７…角錐部分、１８…短管体、１９…表示線、
２０…支持手段、２１…切り欠き部、２２…先端部、２３…支持手段、２４…先端部、２５…支持手段、２６…先端部、２７…基端部、２８…支持手段、２９…軸体、３０…軸部本体、３１…軟質ゴム、３２…先端部、
４０…細長筒体、４１…先方部、４２…周囲、４３…細長筒体、４４…先方部、
５０…吸湿布、５１…角隅部、５２…傾斜部、５３…縁部、５４…先方側、５５…袋体、
６０…摺動手段、６１…軸体、６２…把持部、６３…紐体、６４…抜け止め部材、６５…細線、６６…樹脂被覆、６７…先方部
１００…フルート、１１０…頭部管、１２０…胴部管、１３０…足部管、１４０…水分、
１０１…内面、１０２…管体内、１１１…音響反射板、１１２…螺子軸、１１３…ヘッドコルク、１１４…ナット、１１５…蓋部材、１１６…先方側の端部、１１７…唄口、１１８…リッププレート、１１９…周縁部、
２００…掃除棒、２０１…吸湿布、２０２…貫通孔、２０３…先端部、２０４…吸湿布、２０５…先方部分
【要約】
【課題】吹奏によって管楽器の管体内に付着した水分を、管楽器を組立てた状態のままでも、隅々まで速やか且つ確実に払拭できると共に、音響反射板を傷つけず、且つ位置ずれを生じさせることのない管楽器用掃除具を提供することである。
【解決手段】摺動手段１０と水分払拭手段とからなる管楽器用掃除具１において、摺動手段に水分払拭手段を支持する支持手段２０を備えさせ、水分払拭手段としての吸湿布に袋体を備えさせ、支持手段の先端が袋体を支持した状態で、側方に容易に変形されるようにし、袋体が支持手段に支持されて吸湿布が摺動手段を覆った状態で、管体の内面に接して往復摺動されて、管楽器の管体内に付着した水分を拭い取る管楽器用掃除具とした。これにより、音響反射板を傷つけず、且つ位置ずれを生じさせず、管楽器の管体内に付着した水分を速やか且つ確実に払拭できる。
【選択図】図１【図１】
0005672467.tif 000002
【図２】
0005672467.tif 000003
【図３】
0005672467.tif 000004
【図４】
0005672467.tif 000005
【図５】
0005672467.tif 000006
【図６】
0005672467.tif 000007
【図７】
0005672467.tif 000008
【図８】
0005672467.tif 000009